(57)【特許請求の範囲】
【請求項１】
水と湯を混合する湯水混合部と、該湯水混合部における湯水の混合割合を調整して湯温調整を行うための湯温調整用レバーハンドルと、湯水混合部で混合された湯水を２つの異なる吐水部から吐水及び吐水停止をそれぞれ独立して行うための２つの回動弁と、該２つの回動弁をそれぞれ独立して回動操作するための２つの開閉用レバーハンドルとを備えた湯水混合水栓装置であって、
湯水混合部に水流入部と湯流入部とを設けると共に水と湯とを混合した湯水を流出させるための湯水流出部を設け、
湯温調整用レバーハンドルを湯水混合部の一側面側に回動自在に配設すると共に湯温調整用レバーハンドルに湯水混合部の前方に突出する操作部を設け、
筒体部の中間部に湯水混合部で混合された湯水を筒体部内に流入させるための流入孔を設けると共に筒体部の軸方向における一方の片側半部及び他方の片側半部にそれぞれ筒体部内から２つの異なる吐水部にそれぞれ連通する流出孔を設け、
筒体部内の軸方向の一方の片側半部に流入孔と常時連通し且つ回動により一方の流出孔に対して連通したり非連通となったりする回動弁を独立して回動自在に嵌め込むと共に、筒体部内の軸方向の他方の片側半部に流入孔と常時連通し且つ回動により他方の流出孔に対して連通したり非連通となったりする回動弁を独立して回動自在に嵌め込み、
一方の回動弁の軸方向の一端部に取付けた一方の開閉用レバーハンドルを筒体部の一側面に沿わせると共に該一方の開閉用レバーハンドルに筒体部の前方に突出する操作部を設け、他方の回動弁の軸方向の他端部に取付けた他方の開閉用レバーハンドルを筒体部の他側面に沿わせると共に該他方の開閉用レバーハンドルに筒体部の前方に突出する操作部を設け、
筒体部の一側面に一方の開閉用レバーハンドルを介して湯水混合部の湯温調整用レバーハンドルを設けていない方の他側面を隣接配設し、
２つの開閉用レバーハンドルと湯温調整用レバーハンドルの回動中心を略同一軸線上に位置させて成ることを特徴とする湯水混合水栓装置。
【発明の詳細な説明】
【技術分野】
【０００１】
本発明は、湯水混合水栓装置に関するものである。
【背景技術】
【０００２】
従来から、水と湯を混合する湯水混合部と、該湯水混合部における湯水の混合割合を調整して湯温調整を行うための湯温調整用ダイヤルと、湯水混合部で混合された湯水を２つの異なる吐水部から吐水及び吐水停止をそれぞれ独立して行うための２つの開閉弁と、該２つの開閉弁をそれぞれ独立して開閉操作するための２つの押釦とを備えた湯水混合水栓装置が特許文献１により知られている。
【０００３】
上記特許文献１に示された従来例にあっては、湯水混合部の上方に湯温調整用ダイヤルを突出させ、この湯水混合部の左右両側の前方位置に上程前方に位置するように傾斜した２つの傾斜縦筒部を配設し、該傾斜縦筒部内にそれぞれ開閉弁を入れ、各傾斜縦筒部の上端部に各開閉弁を開閉操作するための押釦を配置した構成となっており、上記湯温調整用ダイヤルが断熱カバーの上面部の後部から上方に突出し、２つの押釦が断熱カバーの前縁に沿って押し込み自在に配置してある。
【０００４】
このように、従来にあっては、湯温調整用ダイヤルと、２つの押釦がそれぞれ別々の位置に、しかも別々の方向を向くように配置してあるので、コンパクト化の支障になるという問題があった。また、上記従来例における２つの開閉弁は開、閉のいずれの操作も２つの押釦の押し操作で行うので、弁の開閉機構が複雑となり、押釦方式による開閉であるため、各吐出部からの吐出する吐水の流量調整を行うには上記開閉弁とは別に２つの流量調整弁及びその操作部を設ける必要があった。
【０００５】
このため、従来の、湯温調整用ダイヤルと、２つの開閉弁と、該２つの開閉弁をそれぞれ独立して開閉操作するための２つの押釦と、２つの流量調整弁とを備えた湯水混合水栓装置は、全体が大型化してしまうという問題があった。
【０００６】
特に、湯水混合部の上方に湯温調整用ダイヤルを突出させ、この湯水混合部の左右両側の前方位置に上程前方に位置するように傾斜した２つの傾斜縦筒部を配設し、該傾斜縦筒部内にそれぞれ開閉弁を入れ、各傾斜縦筒部の上端部に各開閉弁を開閉操作するための押釦を配置しているので、上下方向の寸法が長くなり、薄型に出来ず、更に、湯温調整用ダイヤルが断熱カバーの上面部の後部から上方に突出し、２つの押釦が断熱カバーの前縁に沿って押し込み自在に配置してあるため、断熱カバーの全上面部、つまり、湯水混合水栓装置のほぼ全体の上面部が露出するような取付け形態しか採用できず、例えば、湯水混合装置の湯温調整をするための操作部と、開閉操作をするための操作部のみが外部に露出するような取付け形態は採用できなかった。
【特許文献１】特開２００４−９２０６９号公報
【発明の開示】
【発明が解決しようとする課題】
【０００７】
本発明は上記の従来の問題点に鑑みて発明したものであって、湯水混合部と、湯温調整用レバーハンドルと、２つの回動弁と、２つの開閉用レバーハンドルとを備えた湯水混合水栓装置を薄型にでき、しかも、２つの開閉レバーの各操作部と、湯温調整用レバーハンドルの操作部の操作性を良くし、更に、カウンターなどの下面側に装置の大部分を沿わせて各操作部のみが外部に露出するような施工形態も可能となる湯水混合水栓装置を提供することを課題とするものである。
【課題を解決するための手段】
【０００８】
上記課題を解決するために本発明に係る湯水混合水栓装置は、水と湯を混合する湯水混合部１と、該湯水混合部１における湯水の混合割合を調整して湯温調整を行うための湯温調整用レバーハンドル１８と、湯水混合部１で混合された湯水を２つの異なる吐水部２から吐水及び吐水停止をそれぞれ独立して行うための２つの回動弁２３と、該２つの回動弁２３をそれぞれ独立して回動操作するための２つの開閉用レバーハンドルとを備えた湯水混合水栓装置６であって、湯水混合部１に水流入部１４と湯流入部１５とを設けると共に水と湯とを混合した湯水を流出させるための湯水流出部１６を設け、湯温調整用レバーハンドル１８を湯水混合部１の一側面側に回動自在に配設すると共に湯温調整用レバーハンドル１８に湯水混合部１の前方に突出する操作部１９を設け、筒体部２０の中間部に湯水混合部１で混合された湯水を筒体部２０内に流入させるための流入孔２１を設けると共に筒体部２０の軸方向における一方の片側半部及び他方の片側半部にそれぞれ筒体部２０内から２つの異なる吐水部２にそれぞれ連通する流出孔２２を設け、筒体部２０内の軸方向の一方の片側半部に流入孔２１と常時連通し且つ回動により一方の流出孔２２ａに対して連通したり非連通となったりする回動弁２３を独立して回動自在に嵌め込むと共に、筒体部２０内の軸方向の他方の片側半部に流入孔２１と常時連通し且つ回動により他方の流出孔２２ｂに対して連通したり非連通となったりする回動弁２３を独立して回動自在に嵌め込み、一方の回動弁２３の軸方向の一端部に取付けた一方の開閉用レバーハンドル３を筒体部２０の一側面に沿わせると共に該一方の開閉用レバーハンドル３に筒体部２０の前方に突出する操作部４を設け、他方の回動弁２３の軸方向の他端部に取付けた他方の開閉用レバーハンドル３を筒体部２０の他側面に沿わせると共に該他方の開閉用レバーハンドルに筒体部２０の前方に突出する操作部４を設け、筒体部２０の一側面に一方の開閉用レバーハンドル３を介して湯水混合部１の湯温調整用レバーハンドル１８を設けていない方の他側面を隣接配設し、２つの開閉用レバーハンドル３と湯温調整用レバーハンドル１８の回動中心を略同一軸線上に位置させて成ることを特徴とするものである。
【０００９】
このように、２つの回動弁２３を有する弁機構部９と、湯水混合部１、更に、２つの回動弁２３の回動操作を行うための２つの開閉レバーハンドル３と、湯水混合部１における温度調整操作行うための湯温調整用レバーハンドル１８を、横方向に一列に並べて配置し、しかも、２つの開閉用レバーハンドル３と湯温調整用レバーハンドル１８の回動中心を同一軸線上に位置させることで、全体が薄型で横長の湯水混合水栓装置６とすることができ、つまり、薄型の湯水混合水栓装置６を提供できる。また、２つの回動弁２３、湯水混合部１が横に並んでいるので、２つの回動弁２３、湯水混合部１を有する機構部分の前後長さが短くなり、その分、各開閉レバーハンドル３の前方に突出した操作部４や、湯温調整用レバーハンドル１８の前方に突出した操作部１９前後長さを十分に確保して操作性を良くすることができ、また、更に、２つの開閉用レバーハンドル３の各操作部４と、湯温調整用レバーハンドル１８の操作部１９を前方に突出させて設けることで、これらの操作部４、１９を前方にまとめて配置できると共に、これらの前方に突出した各操作部４、１９を操作して２つの開閉用レバーハンドル３、湯温調整用レバーハンドル１８の回動操作をするので、操作方式が同じで、操作が容易となり、また、上記のように装置が薄型化できること、各操作部４、１９が前方に突出していることで、下方が開口したカウンターなどの下面に装置の上面部を沿わせ、カウンターの前縁から各操作部４、１９のみを突出させるというような施工形態も可能となる。
【発明の効果】
【００１０】
本発明の請求項１記載の発明にあっては、上記のように構成したので、湯水混合部と、湯温調整用レバーハンドルと、２つの回動弁と、２つの開閉用レバーハンドルとを備えた湯水混合水栓装置を簡単な構成で薄型とすることができる。また、２つの開閉レバーの各操作部と、湯温調整用レバーハンドルの操作部がいずれも前方に突出してまとまって配置してあると共に各操作部の操作方式が同じであって、これにより各操作部の操作性が良くなる。更に、薄型で且つ各操作部が前方に突出して位置しているので、装置の大部分をカウンターなどの下面側に沿わせて各操作部のみが外部に露出するような施工形態も可能となり、この場合は、各操作部のみしか露出しないので、外観が良くなる。
【発明を実施するための最良の形態】
【００１１】
以下、本発明を添付図面に示す実施形態に基いて説明する。
【００１２】
図１乃至図５には本発明の湯水混合水栓装置６の一実施形態が示してある。湯水混合水栓装置６は、基体１０に、湯水混合部１と、弁機構部９と、カバー部１１を取付けて主体が構成してある。
【００１３】
湯水混合部１は、外郭を構成する筒部１３の外周部の軸方向に水流入部１４と湯流入部１５を並設して設けると共に湯水流出部１６を設け、更に、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整用レバーハンドル１８とを備えることで一つのユニットとして構成してあり、湯温調整用レバーハンドル１８を回動することで、湯水混合調整手段１７を移動して、水と湯の混合割合を変えて設定された湯温となるよう調整できるようになっている。
【００１４】
湯温調整用レバーハンドル１８は湯水混合調整手段１７に連結する連結部１８ａと該連結部１８ａの前部から前方に突出する湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は略平板状をしていて、上面部が湯水混合用の押し下げ用の操作部１９ａ、下側が湯水混合用の押し上げ用の操作部１９ｂとなっている。
【００１５】
弁機構部９は、外郭を構成する筒体部２０の軸方向の中間部に設けた流入孔部２１と、筒体部２０の軸方向における一方の片側半部及び他方の片側半部にそれぞれ設けた２つの流出孔２２（２２ａ、２２ｂ）と、筒体部２０内の軸方向の一方の片側半部及び他方の片側半部にそれぞれ独立して回動自在に嵌め込んだ２つの回動弁２３（２３ａ、２３ｂ）と、両回動弁２３の端部に連結されて各回動弁２３を回動操作するための２つのレバーハンドル３とを備えることで一つのユニットとして構成してある。
【００１６】
各回動弁２３はそれぞれ軸方向の一端部が開口部２４となり且つ他端部が閉塞された回動筒２５の外周部に孔２６を設けて構成してあり、筒体部２０内の軸方向の中間部を介して両回動弁２３の開口部２４が互いに向き合うように筒体部２０内にはめ込んであり、両開口部２４は筒体部２０内の軸方向の中間部を介して流入孔部２１と連通しており、また、各回動弁２３をそれぞれ独立して回動することで、２つの流出孔２２（２２ａ、２２ｂ）と各孔２６とを連通したり、非連通とすることで、各回動弁２３の開閉及び連通の度合い（つまり開量）の調整を行って流量調整することができるようになっている。２つの流出孔２２には後述のようにそれぞれ吐水部２が連通接続される。
【００１７】
筒体部２０内にそれぞれ回動自在に嵌め込んだ各回動弁２３の開口部２４と反対側の軸方向の端部には各レバーハンドル３の後端部の取付け部２７がそれぞれ筒体部２０の軸方向の両側端面に沿うように取付けてあり、この筒体部２０の両側端面に沿うように両回動弁２３の端部に取付けた２個のレバーハンドル３の前部が筒体部２０の前面よりも前方に突出形成してあって操作部４となっている。
【００１８】
図１示す実施形態では、取付け部２７の前端部から筒体部２０の前面よりも前方に突出するように形成した操作部４は、取付け部２７の前端部の軸方向の外側端部から筒体部２０の軸方向の中間部分まで至る横長さとなっており、両側のレバーハンドル３の前部に設けた両操作部４の後端部により筒体部２０の前面が覆われるようになっている。各操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっている。
【００１９】
各操作部４は上方への押し上げ・下方への押し下げ操作のみが可能なように上下方向にのみ可動自在となり、各レバーハンドル３はそれぞれ操作部４を上に上げた状態又は下に下げた状態の一方が対応する回動弁２３を開（つまり一方の回動弁２３の孔２６と一方の流出孔２２ａとが連通する状態、又は、他方の回動弁２３の孔２６と他方の流出孔２２ｂとが連通する状態）となり、他方が閉（つまり一方の回動弁２３の孔２６と一方の流出孔２２ａとが非連通となる状態、又は、他方の回動弁２３の孔２６と他方の流出孔２２ｂとが非連通となる状態）となっている。そして、各操作部４の上記開位置Ａと閉位置Ｂとの間が該当する吐水部２から吐水する湯水の流量を調整する水量調整域Ｃとなっている。
【００２０】
レバーハンドル３の操作部４は、湯温調整用レバーハンドル１８の湯温調整用の操作部１９とその断面形状が同じ又はほぼ同じ形状をしている。
【００２１】
上記のようにユニット化された湯水混合部１と、ユニット化された弁機構部９とをそれぞれ基体１０にねじ具２９により固着することで取付けてある。
【００２２】
ここで、図１に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００２３】
この場合、ユニット化された弁機構部９の筒体部２０の一側面に一方のレバーハンドル３を介して湯水混合部１の筒部１３の湯温調整用レバーハンドル１８を設けていない方の側端面を隣接配置されるものである。
【００２４】
また、湯水流出部１６と流入孔部２１とが接続管３４で連通接続される。
【００２５】
更に、水流入部１４に給水用接続管１４ａを接続すると共に湯流入部１５に給湯用接続管１５ａを接続し、更にまた、２つの流出孔２２（２２ａ、２２ｂ）にそれぞれ流出管４５ａ、４５ｂを接続する。流出管４５ａ、４５ｂのうち一方、図３、図４においては流出管４５ａは先端部がそのまま吐水部２（カラン吐水部２ａ）となっていて、一方の流出孔２２ａの真下に配設してあって、下方に吐水するようになっている。
【００２６】
基体１０には更にカバー部１１が取付けられ、カバー部１１により弁機構部９の筒体部２０、両レバーハンドル３の後端部の取付け部２７、湯水混合部１の筒部１３を覆うようになっている。
【００２７】
カバー部１１には前面部に前面開口部３１が設けてあり、この前面開口部３１から両レバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、各レバーハンドル３を筒体部２０の軸芯を中心にして回動自在となっている。操作部４を押し上げたり、押し下げたりすることによるレバーハンドル３の回動角度は特に限定はないが、一例を挙げると４５°の回動範囲とする。
【００２８】
各レバーハンドル３の操作部４の後端に設けた覆い部２８によりカバー部１１の前面開口部３１を遮蔽するようになっており、これにより、レバーハンドル３を回動しても筒体部２０の前面が外部に露出することなく覆い部２８により覆われるようになっている。この結果、覆い部２８が筒体部２０の一部（前部）を覆う断熱カバーの役目を兼用し、カバー部１１による断熱のために覆う面積を少なくしてカバー部１１の材料を少なくできる。
【００２９】
したがって、筒体部２０、操作部４の取付け部２７はカバー部１１及び覆い部２８に覆われて、この部分が施工状態において外部に露出しないようになっている。
【００３０】
また、カバー部１１は湯水混合部１の筒部１３を覆って筒部１３が施工状態において外部に露出しないようになっており、更に、このカバー部１１の湯水混合部１を覆っている部分の前面部から前方に向けて一体に略平板状をしたダミー操作部３３が突出してある。
【００３１】
ここで、ダミー操作部３３の断面形状は、前述の操作部４、湯温調整用の操作部１９とその断面形状が同じ又はほぼ同じ形状をしているがカバー部１１から一体に突出しているため押し下げ力、押し上げ力が作用してもカバー部１１に対して動くことはない。
【００３２】
また、ダミー操作部３３の横方向の長さは筒部１３の軸方向の長さと同じ又はほぼ同じ長さとなっており、該ダミー操作部３３が、前述の湯温調整用レバーハンドル１８の湯温調整用の操作部１９と、２つの隣接するレバーハンドル３の各操作部４のうち一方の操作部４ａとの間に介在してある。このようにレバーハンドル３の操作部４と、湯温調整用レバーハンドル１８の湯温調整用の操作部１９との間にダミー操作部３３を介在させることで、操作部１９の操作の際に誤って湯温調整用の操作部１９を操作したり、あるいは、湯温調整用の操作部１９を操作する際に誤って操作部１９を操作することがないように、ダミー操作部３３が両者の仕切りの役目をする。
【００３３】
両レバーハンドル３の操作部４は、各操作部４が閉位置Ｂとなった状態で互いに上面が面一となり、更に、この操作部４が閉位置Ｂの状態で上面がダミー操作部３３の上面と面一となるように設定してある。なお、図１乃至図５に示す実施形態では各操作部４を下方に最大に押し下げた位置（最下端位置、図３、４で実線で示す位置）が閉位置Ｂで、各操作部４を最大に押し上げた位置（最上端位置、図３、４で二点鎖線で示す位置）が全開位置Ａとなっている。
【００３４】
また、湯温調整用レバーハンドル１８の湯温調整用の操作部１９は、湯温調整用の操作部１９の上面が上記ダミー操作部３３の上面と面一となった位置がちょうど湯温略４０℃となるように設定してある。したがって、湯温調整用レバーハンドル１８の湯温調整用の操作部１９が湯温調整用レバーハンドル１８の湯温調整用の操作部１９の上面とダミー操作部３３の上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３と面一となるようにするだけで、簡単に湯温を略４０℃に設定することができるようになっている。
【００３５】
そして、湯温調整用の操作部１９がダミー操作部３３と面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心に回動して、略４０℃より湯温を高くなるように調整したり、略４０℃より湯温を低くなるように調整することができる。
【００３６】
上記のような構成の湯水混合水栓装置６は、給水用接続管１４ａに水道管を接続し、給湯用接続管１５ａに給湯管を接続する。
【００３７】
また、図１乃至図５に示す実施形態の湯水混合水栓装置６は、浴室や洗面化粧台などに設定する例を示しており、他方の流出管４５ｂにはシャワーホース３５の一端が接続され、該シャワーホース３５の他端のシャワーヘッド３６が他方の吐水部２（シャワー吐水部２ｂ）となっている。
【００３８】
上記のように施工された湯水混合水栓装置６の使用に当たって、カラン吐水部２ａの吐水、止水をする場合は、一方のレバーハンドル３の操作部４を押し上げ操作、押し下げ操作することにより行い、また、シャワー吐水部２ｂの吐水、止水をする場合は、他方のレバーハンドル３の操作部４を押し上げ操作、押し下げ操作することにより行う。そして、これらの各レバーハンドル３の操作部４の押し上げ操作、押し下げ操作はそれぞれ独立して行うことができ、また、両操作部４を同時に押し上げ操作したり、あるいは押し下げ操作することができる。したがって、カラン吐水部２ａ、シャワー吐水部２ｂの両方が止水状態において、カラン吐水部２ａ、シャワー吐水部２ｂのいずれか一方からのみ吐水、あるいは、カラン吐水部２ａ、シャワー吐水部２ｂの両方を同時に吐水という操作が簡単にできる。また、カラン吐水部２ａ、シャワー吐水部２ｂの両方が吐水状態において、カラン吐水部２ａ、シャワー吐水部２ｂのいずれか一方のみの止水、あるいは、カラン吐水部２ａ、シャワー吐水部２ｂの両方を同時に止水という操作が簡単にできる。
【００３９】
そして、本発明においては、各操作部４がいずれも押し下げ操作と押し上げ操作が反対方向の操作であるため、手探りであっても操作部４に手を添えて押し上げ操作又は押し下げ操作をすることで直接目で確認しなくても誤り無く操作ができ、このように、各操作部はいずれも押し上げ操作と押し下げ操作とで開閉が決まっているので、シャンプーなどで髪を洗っているときや、洗顔している時のように、湯水混合水栓装置６を目で見ることなく、手探りでレバーハンドル３の操作部４を探して、操作する場合でも誤操作することがない。
【００４０】
例えば、シャワー吐水部２ｂが止水で且つカラン吐水部２ａが吐水の状態で、石鹸などで洗顔している時、カラン吐水部２ａを止水にしようとして、手探りで、カラン吐水部２ａ用の操作部４（カラン用の操作部）を探して止水操作をする際、誤ってシャワー用の操作部４を止水側に操作しようとしても、シャワー吐水部２ｂは既に止水となっているので、シャワー吐水部２ｂから突然吐水されるというようなおそれがない。
【００４１】
また、シャワー吐水部２ｂが吐水で且つカラン吐水部２ａが止水の状態で、シャンプーなどで洗髪している時、シャワー吐水部２ｂを止水にしようとして、手探りで、シャワー吐水部２ｂ用のシャワー用の操作部４を止水側に操作する際、誤ってカラン用の操作部４を止水側に操作しようとしても、既に止水しているため、カラン吐水部２ａから突然吐水されるというようなおそれがない。
【００４２】
したがって、複数の操作部４を手探りで探して操作する際に、上記のような誤操作をしても、操作部４の操作方向さえ間違っていなければ、手探りであっても予期していない吐水部２から突然吐水されるというような事態が生じることがなく、安心して洗顔や洗髪ができる。
【００４３】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとする場合、あわてているので、誤って別の吐水部２の操作部４を止水側に操作しても、別の吐水部２から突然吐水されるというような事態が生じることがない。
【００４４】
上記のように、各レバーハンドル３の操作部４の押し上げ操作、押し下げ操作により対向する各吐水部２からの吐水、止水を行うのであるが、各操作部４の上下方向への移動量を調整することで対応する各吐水部２から吐水する湯水の流量を同時に調整することができる。
【００４５】
したがって、本発明においては、複数の吐水部２に対応して、別部材としての複数の流量調整弁とこれを操作するための複数の操作部とを必要とせず、湯水混合水栓装置６の小型化、部品点数の削減が可能となる。また、各操作部４の上下方向の移動のみで対応する吐水部２からの吐水、止水と流量調整とが同時にできるので、操作性が向上する。
【００４６】
しかも、上記複数のレバーハンドル３が湯温調整用レバーハンドル１８と別体なので、複数のレバーハンドル３をそれぞれ独立して操作する際、いずれのレバーハンドル３を操作する際も誤って湯温が変えられて高温の湯や低温の水が吐出する恐れがない。
【００４７】
また、図１乃至図５に示す実施形態では各操作部４を下方に最大に押し下げた位置（最下端位置）が閉位置Ｂで、各操作部４を最大に押し上げた位置（最上端位置）が全開位置Ａとしてあるので、誤って、各操作部４に個別にあるいは同時に物が当たったりして上方から押し下げ力が作用しても、操作部４は元々閉位置にいるか、又は開位置にいても下方に押し下げられて閉位置となるので、複数の吐水部２から不意に吐水がするという恐れがない。また、この実施形態においては、閉位置Ｂがほぼ水平となっていてほぼ水平姿勢のダミー操作部３３と面一又はほぼ面一となっており、この場合は、湯水混合水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならず、カラン吐水部２ａの使用が便利となる。
【００４８】
もちろん、本発明の湯水混合水栓装置６において、図６に示す実施形態のように、各操作部４を下方に最大に押し下げた位置（最下端位置）が全開位置Ａで、各操作部４を最大に押し上げた位置（最上端位置）が閉位置Ｂとしてもよいものである。この場合は、例えば、閉位置Ｂがほぼ水平となっていてほぼ水平姿勢のダミー操作部３３と面一又はほぼ面一となっていると、湯水混合水栓装置６の上方の空間に操作部４が突出せず、この部分を操作部４に邪魔されず、別の用途に使用したり、広い空間として利用できる。
【００４９】
図７乃至図１３には本発明の他の実施形態が示してある。本実施形態においては、カウンター本体４０の下面部に前述の湯水混合水栓装置６を配設して取付けた水栓装置付きカウンター４１が示してある。本実施形態においては、湯水混合水栓装置６の大部分はカウンター本体４０の下面側に沿って配設されることでカウンター本体４０により隠されるようになっているが、湯水混合水栓装置６の複数のレバーハンドル３の各操作部４、ダミー操作部３３、湯温調整用レバーハンドル１８の湯温調整用の操作部１９がカウンター本体４０の前端から前方に突出している。そして、略平板状をした複数のレバーハンドル３の各操作部４がいずれも閉位置に位置し、湯温調整用レバーハンドル１８の湯温調整用の操作部１９が略４０℃の位置となって、複数のレバーハンドル３の操作部４の上面とダミー操作部３３の上面と、湯温調整用レバーハンドル１８の湯温調整用の操作部１９の上面とが面一となっている状態では各操作部４、ダミー操作部３３、湯温調整用の操作部１９が全体として一連の板状物のような外観となり、図７（ａ）のように、板状のカウンター本体４０の前端部の下端縁から前方に全体として一連の板状物（操作部）が突出している外観となり、統一感があり、外観がよくなる。
【００５０】
図７乃至図１５に示す実施形態においては、カウンター本体４０の下面部に前述の湯水混合水栓装置６を配設して取付けた水栓装置付きカウンター４１において、各操作部４は、下方に最大に押し下げた位置（最下端位置）が閉位置Ｂで、各操作部４を最大に押し上げた位置（最上端位置）が全開位置Ａとしてあるが、図１４のように各操作部４を下方に最大に押し下げた位置（最下端位置）が全開位置Ａで、各操作部４を最大に押し上げた位置（最上端位置）が閉位置Ｂとしてもよいものである。
【００５１】
なお、上記した各実施形態においては、ダミー操作部３３を設けた例を示したが、ダミー操作部３３を設けないものであってもよい。
【００５２】
また、上記した各実施形態では２つの吐水部２のうち一方をカラン吐水部２ａ、他方をシャワー吐水部２ｂとした例を示したが、両方ともカラン吐水部２ａであってもよい。
【００５３】
また、各レバーハンドル３の各操作部４をそれぞれ略板形状をしている例で説明したが、棒状あるいはリング形状をしたものであってもよい。また、各レバーハンドル３の操作部４は同じ断面形状である必要はなく、異なる断面形状であってもよい。
【図面の簡単な説明】
【００５４】
【図１】本発明の平面断面図である。
【図２】同上の斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図３】同上の縦断面図である。
【図４】同上の右側面図である。
【図５】同上の左側面図である。
【図６】本発明の他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図７】本発明の水栓装置を付設したカウンターの斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図８】同上の平面断面図である。
【図９】同上の縦断面図である。
【図１０】同上の右側面図である。
【図１１】同上の左側面図である。
【図１２】同上のカウンター本体に付設する湯水混合水栓装置を前方から見た斜視図である。
【図１３】同上のカウンター本体に付設する湯水混合水栓装置を背方から見た斜視図である。
【図１４】本発明の水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【符号の説明】
【００５５】
２  吐水部
３  レバーハンドル
４  操作部
６  湯水混合水栓装置
１４  水流入部
１５  湯流入部
１６  湯水流出部
１８  湯温調整用レバーハンドル
１９  操作部
２０  筒体部
２１  流入孔
２２  流出孔
２２ａ  流出孔
２２ｂ  流出孔
２３  回動弁
【図１】
0005022167.tif 000002
【図２】
0005022167.tif 000003
【図３】
0005022167.tif 000004
【図４】
0005022167.tif 000005
【図５】
0005022167.tif 000006
【図６】
0005022167.tif 000007
【図７】
0005022167.tif 000008
【図８】
0005022167.tif 000009
【図９】
0005022167.tif 000010
【図１０】
0005022167.tif 000011
【図１１】
0005022167.tif 000012
【図１２】
0005022167.tif 000013
【図１３】
0005022167.tif 000014
【図１４】
0005022167.tif 000015